(57)【要約】【課題】  水道管等の地下に埋設されたパイプ本管等の布設、移設、補修工事等に際し、多大な時間、手間と設計者の熟練、経験を要することなく、正確な仮設配管詳細図及び見積書を作成する。【解決手段】  仮設配管工事条件を入力するための入力手段と、前記仮設配管工事条件を記憶し、かつ、製品情報、配管図作成情報、及び、仮設予定場所の地形データを蓄積している第１の記憶手段と、前記地形データ、仮設配管工事条件及び配管図作成情報を演算処理し仮設標準詳細配管図を作成する配管設計手段と、見積情報を蓄積している第２の記憶手段と、仮設標準詳細配管図作成により集計された仮設配管部材の品目、数量、製品情報及び見積情報を演算処理し仮設配管工事の見積書を作成する自動見積手段と、前記仮設標準詳細配管図及び仮設配管工事の見積書を出力する出力手段と、を備えた最適管割情報処理装置とする。【選択図】図１
0003135632.tif 000002
【実用新案登録請求の範囲】
【請求項１】
既設管状況、仮設配管の呼び径、仮設配管位置、供給位置などの仮設配管工事条件を入力するための入力手段と、  前記仮設配管工事条件を記憶し、かつ、各種仮設配管部材の品目、形状、寸法、価格等の製品情報、仮設標準詳細配管図を自動的に作図するための情報を標準化した配管図作成情報、及び、仮設予定場所の地形データを蓄積している第１の記憶手段と、  前記地形データ、仮設配管工事条件及び配管図作成情報を演算処理し仮設標準詳細配管図を作成する配管設計手段と、  使用する仮設配管部材の種別に応じて標準化された見積情報を蓄積している第２の記憶手段と、  仮設標準詳細配管図作成により集計された仮設配管部材の品目、数量、製品情報及び見積情報を演算処理し仮設配管工事の見積書を作成する自動見積手段と、  前記仮設標準詳細配管図及び仮設配管工事の見積書を出力する出力手段と、  を備え、  前記配管設計手段は、前記第１の記憶装置に記憶されている仮設配管位置及び供給位置と、地形データとを組み合わせることによって、三次元的に仮設予定線を描く第１のステップと、  前記仮設予定線のうち、始点と分岐点、分岐点と分岐点、分岐点と終点とを結ぶ各直線部分においては、製品情報において指定された条件に合致させつつ割算処理を行うことにより、自動的に管割を行い、  前記仮設予定線のうち、各分岐点においては、接続される管の本数や分岐点の角度などから、同条件に合致する分岐点管を、前記製品情報の中から選び出す第２のステップと、からなることを特徴とし、  前記自動見積手段は、前記標準詳細配管図の中で用いられた配管部材の情報を読み出し、各品目ごとに数量を自動的に集計する第１のステップと、  その集計された金額と、製品情報の中の製品ごとの価格とを掛け合わせ、さらに集計する第２のステップとからなる  ことを特徴とする最適管割情報処理装置。
【請求項２】
仮設予定場所の地形データ及び既設管状況、仮設配管の呼び径、仮設配管位置、供給位置などの仮設配管工事条件を入力するための入力手段と、  前記仮設配管工事条件を記憶し、かつ、各種仮設配管部材の品目、形状、寸法、価格等の製品情報、及び、仮設標準詳細配管図を自動的に作図するための情報を標準化した配管図作成情報を蓄積している第１の記憶手段と、  前記地形データ、仮設配管工事条件及び配管図作成情報を演算処理し仮設標準詳細配管図を作成する配管設計手段と、  使用する仮設配管部材の種別に応じて標準化された見積情報を蓄積している第２の記憶手段と、  仮設標準詳細配管図作成により集計された仮設配管部材の品目、数量、製品情報及び見積情報を演算処理し仮設配管工事の見積書を作成する自動見積手段と、  前記仮設標準詳細配管図及び仮設配管工事の見積書を出力する出力手段と、を備え、  前記配管設計手段は、前記第１の記憶装置に記憶されている仮設配管位置及び供給位置と、地形データとを組み合わせることによって、三次元的に仮設予定線を描く第１のステップと、  前記仮設予定線のうち、始点と分岐点、分岐点と分岐点、分岐点と終点とを結ぶ各直線においては、製品情報において指定された条件に合致させつつ割算処理を行うことにより、自動的に管割を行い、  前記仮設予定線のうち、各分岐点においては、接続される管の本数や分岐点の角度などから、同条件に合致する分岐点管を、前記製品情報の中から選び出す第２のステップと、からなることを特徴とし、  前記自動見積手段は、前記標準詳細配管図の中で用いられた配管部材の情報のみを読み出し、各品目ごとに数量を自動的に集計する第１のステップと、  その集計された金額と、製品情報の中の製品ごとの価格を掛け合わせ、さらに集計する第２のステップとからなる  ことを特徴とする最適管割情報処理装置。
【請求項３】
請求項１又は２の最適管割情報処理装置において、  仮設配管部材の在庫データを蓄積している記憶手段と、  前記在庫データと仮設配管工事の見積書に含まれる仮設配管部材のデータとから、所定数量に不足する仮設配管部材の有無及び不足数量を判断する判断手段と、  仮設配管部材が所定数量に不足する場合に、不足する仮設配管部材の製造又は発注を指示する情報を出力し、あるいは、その情報を当該コンピュータとコンピュータ・ネットワークで接続された在庫管理コンピュータに送信する製造等指示手段と、  仮設配管部材が所定数量に不足しない場合に、仮設配管部材の出荷を指示する情報を出力し、あるいは、当該情報を前記在庫管理コンピュータに送信する出荷指示手段と、  を備えたことを特徴とする最適管割情報処理装置。
【考案の詳細な説明】
【考案の詳細な説明】
【技術分野】
【０００１】  本考案は、水道管等の地下に埋設されたパイプ本管等の布設、移設、補修工事等に際し、設置が必要となる仮設配管部材の種類、必要量を算出する装置、さらには、仮設配管部材の種類、在庫量、使用回数、使用日数を管理することにより、仮設配管部材の最適管理処理を行う装置に関する。
【背景技術】
【０００２】  従来、水道管等の地下に埋設されたパイプ本管等の布設、移設、補修工事等に際し、必要となる仮設配管部材の種類、必要量は、仮設する始点から終点の間において、本管の接続位置と接続口径、各家庭への分岐位置、埋設箇所、地上敷設箇所などが記入された縮尺の正確な仮設平面図又はそのファクシミリ図面を基に算出していた。  しかしながら、縮尺の正確な仮設平面図でも、各家庭への分岐管距離が数値で記入されていないので、配管詳細図の設計者が三角スケールを使用して各家庭の分岐管距離を測って、その数値を基に必要な仮設配管部材の必要本数を算出し、この作業を仮設する始点から終点の間におけるすべての分岐管距離に関して繰り返していた。また、仮設平面図がファクシミリ図面である場合には、縮尺が正確でなく、配管詳細図の設計者が、正確な縮尺どおりに拡大・縮小を繰り返さなければならなかった。  さらに、仮設平面図には、埋設から地上敷設へと変わる箇所や、その逆の箇所では、高低差などの詳細な情報が記載されていないので、当該箇所では、設計者の経験に基づき、９０°エルボ、フレキシブル継手などを使用するか否かを判断していた。  以上のような過程を経て作成される配管詳細図の作成には、多大な時間、手間と設計者の熟練、経験を要した。  そのうえ、上記のような過程を経て作成される配管詳細図は、概略的なものであり、これを基に作成される見積書は、不足部材が生じないよう予備の仮設配管部材も含めた見積書となっていた。そのため、実際の現場では、仮設配管部材について不足部材が生じたり、不必要部材が生じたりすることから、緊急に不足部材を供給しなければならなくなったり、仮設配管布設後、現場で実際に使用しなかった不必要部材を撤去しなければならないなど、無駄な作業が頻繁に発生していた。  また、仮設配管工事に必要な費用の額も、実際に使用する仮設配管部材が確定するまでの間は判明せず、相当不正確な見積書となることが多かった。  さらに、配管詳細図と見積書が概略的で不正確であるため、わずかの仮設配管部材の出荷、回収が頻繁に発生し、仮設配管部材の在庫管理が煩雑となり、その精度も悪かった。
【考案が解決しようとする課題】
【０００３】  水道管等の地下に埋設されたパイプ本管等の布設、移設、補修工事等に際し、多大な時間、手間と設計者の熟練、経験を要することなく、正確な仮設配管詳細図及び見積書を作成することが求められている。
【０００４】  また、不要部材が発生せず、緊急に不足部材を供給するような事態を招くことがなく、さらに、簡便で精度も高い仮設配管部材の在庫管理ができることが求められている。
【課題を解決するための手段】
【０００５】  本考案は、既設管状況、仮設配管の呼び径、仮設配管位置、供給位置などの仮設配管工事条件を入力するための入力手段と、前記仮設配管工事条件を記憶し、かつ、各種仮設配管部材の品目、形状、寸法、価格等の製品情報、仮設標準詳細配管図を自動的に作図するたの情報を標準化した配管図作成情報、及び、仮設予定場所の地形データを蓄積している第１の記憶手段と、前記地形データ、仮設配管工事条件及び配管図作成情報を演算処理し仮設標準詳細配管図を作成する配管設計手段と、使用する仮設配管部材の種別に応じて標準化された見積情報を蓄積している第２の記憶手段と、仮設標準詳細配管図作成により集計された仮設配管部材の品目、数量、製品情報及び見積情報を演算処理し仮設配管工事の見積書を作成する自動見積手段と、前記仮設標準詳細配管図及び仮設配管工事の見積書を出力する出力手段と、を備え、前記配管設計手段は、前記第１の記憶装置に記憶されている仮設配管位置及び供給位置と、地形データとを組み合わせることによって、三次元的に仮設予定線を描く第１のステップと、前記仮設予定線のうち、始点と分岐点、分岐点と分岐点、分岐点と終点とを結ぶ各直線部分においては、製品情報において指定された条件に合致させつつ割算処理を行うことにより、自動的に管割を行い、前記仮設予定線のうち、各分岐点においては、接続される管の本数や分岐点の角度などから、同条件に合致する分岐点管を、前記製品情報の中から選び出す第２のステップと、からなることを特徴とし、前記自動見積手段は、前記標準詳細配管図の中で用いられた配管部材の情報を読み出し、各品目ごとに数量を自動的に集計する第１のステップと、その集計された金額と、製品情報の中の製品ごとの価格とを掛け合わせ、さらに集計する第２のステップとからなる最適管割情報処理装置であることを特徴としている。
【０００６】  請求項２の考案は、仮設予定場所の地形データ及び既設管状況、仮設配管の呼び径、仮設配管位置、供給位置などの仮設配管工事条件を入力するための入力手段と、前記仮設配管工事条件を記憶し、かつ、各種仮設配管部材の品目、形状、寸法、価格等の製品情報、及び、仮設標凖詳細配管図を自動的に作図するための情報を標準化した配管図作成情報を蓄積している第１の記憶手段と、前記地形データ、仮設配管工事条件及び配管図作成情報を演算処理し仮設標準詳細配管図を作成する配管設計手段と、使用する仮設配管部材の種別に応じて標準化された見積情報を蓄積している第２の記憶手段と、仮設標準詳細配管図作成により集計された仮設配管部材の品目、数量、製品情報及び見積情報を演算処理し仮設配管工事の見積書を作成する自動見積手段と、前記仮設標準詳細配管図及び仮設配管工事の見積書を出力する出力手段と、を備え、前記配管設計手段は、前記第１の記憶装置に記憶されている仮設配管位置及び供給位置と、地形データとを組み合わせることによって、三次元的に仮設予定線を描く第１のステップと、前記仮設予定線のうち、始点と分岐点、分岐点と分岐点、分岐点と終点とを結ぶ各直線においては、製品情報において指定された条件に合致させつつ割算処理を行うことにより、自動的に管割を行い、前記仮設予定線のうち、各分岐点においては、接続される管の本数や分岐点の角度などから、同条件に合致する分岐点管を、前記製品情報の中から選び出す第２のステップと、からなることを特徴とし、前記自動見積手段は、前記標準詳細配管図の中で用いられた配管部材の情報のみを読み出し、各品目ごとに数量を自動的に集計する第１のステップと、その集計された金額と、製品情報の中の製品ごとの価格を掛け合わせ、さらに集計する第２のステップとからなる最適管割情報処理装置であることを特徴としている。
【０００７】  請求項３の考案では、請求項１又は２記載の手段に加えて、仮設配管部材の在庫データを蓄積している記憶手段と、前記在庫データと仮設配管工事の見積書に含まれる仮設配管部材のデータとから、所定数量に不足する仮設配管部材の有無及び不足数量を判断する判断手段と、仮設配管部材が所定数量に不足する場合に、不足する仮設配管部材の製造又は発注を指示する情報を出力し、あるいは、その情報を当該コンピュータとコンピュータ・ネットワークで接続された在庫管理コンピュータに送信する製造等指示手段と、仮設配管部材が所定数量に不足しない場合に、仮設配管部材の出荷を指示する情報を出力し、あるいは、当該情報を前記在庫管理コンピュータに送信する出荷指示手段と、を備えた最適管割情報処理装置であることを特徴としている。
【０００８】  本考案における仮設配管工事条件として各請求項に記載した、既設管状況、仮設配管の呼び径、仮設配管位置、供給位置などは、上水道における仮設配管工事の例示であって、すべての仮設配管工事にこれらすべてが必要なものではない。  たとえば、汚泥水の除去等の場合には、仮設配管工事条件として必要となるのは、既設管状況、呼び径（口径）、仮設配管位置だけある。
【０００９】  本考案においては、インターネット等の電気通信回線を利用して、遠隔地にいる者宛てに、仮設標準詳細配管図若しくは仮設配管工事の見積書の出力、仮設配管部材の出荷指示又は不足する仮設配管部材の製造若しくは発注を指示を行うようにしてもよい。
【００１０】  また、本考案においては、請求項１の考案及びこれを引用した請求項３の考案においては仮設配管工事条件を記憶し、製品情報、配管図作成情報及び地形データを蓄積し、請求項２の考案及びこれを引用した請求項３の考案においては地形データ及び仮設配管工事条件を記憶し、製品情報及び配管図作成情報を蓄積している第１の記憶手段、見積情報を蓄積している第２の記憶手段、請求項３の考案及びこれを引用した請求項の考案における仮設配管部材の在庫データを蓄積している記憶手段の全部又は一部について、同じ記憶手段で兼ねることができる。
【００１１】  さらに、本考案においては、入力手段から入力された地形データ、仮設配管工事条件、仮設標準詳細配管図、仮設配管工事の見積書を表示するのための表示装置を備えてもよい。
【００１２】  なお、本考案における地形図データの情報源としては、道路台帳、家屋状況図、住宅地図、その他一般的な地図を利用しうる。
【００１３】  請求項２の考案においては、仮設平面図として、仮設配管工事条件を予め入力したマッピングシステム等に対応した地形データがデジタルデータとして存する場合には、これを入力手段によって入力することもできる。
【００１４】  配管図作成情報は、仮設配管の配置距離、配置場所の地形、呼び径などから、必要とされる仮設配管の品目、長さ、数量等を標準化した情報であり、読み出し可能なデータベースとして蓄積されている。
【００１５】  見積情報は、仮設配管部材の品目、単価、仮設配管部材をレンタルする場合のレンタル料金等の仮設配管部材の見積書作成に必要とされる情報であり、読み出し可能なデータベースとして蓄積されている。
【００１６】  在庫データは、仮設配管部材の品目、数量等の仮設配管部材の在庫に関する情報であり、読み出し可能なデータベースとして蓄積されている。
【考案を実施するための最良の形態】
【００１７】  以下、本考案の実施例を、図面により詳細に説明する。なお、本考案の技術的範囲は、請求の範囲記載の文言に拘束されず、均等な範囲にも及ぶ。  図１は、請求項３の考案が適用される最適管割情報処理装置を説明する説明図である。  図２は、請求項３の考案が適用される最適管割情報処理装置の動作を表すフローチャートである。  図３は、本装置の構成図である。入力手段は、マウス、キーボード等のコンピュータの入力装置であり、出力手段は、プリンタ、ディスプレイ装置等のコンピュータの出力装置である。また、記憶手段、配管設計手段、自動見積手段、出荷指示手段、判断手段、製造等指示手段及び選別手段から構成される演算手段は、例えば中央演算処理装置（ＣＰＵ）等から実現される。【００１８】  本実施例は、フランチャイザー（以下「本部」という）と遠隔地にいるフランチャイジー（以下「ＦＣ加盟店」という）との間で、インターネットを利用したＶＰＮを経由して、本装置を適用するものである。【００１９】  まず、ＦＣ加盟店から、取引先を特定する情報を含んだ仮設配管請負工事の取引に関する情報１を得た本部は、本装置の入力手段から、仮設配管工事の対象となっている既設管の状況、既設管を参考にして仮設配管工事に際し必要と考えられる仮設配管の呼び径（口径）、仮設の始点と終点とを結ぶ仮設配管位置、仮設配管から各家庭の上水道メーターへ上水道を供給するに必要な分岐管を設けるための供給位置などの仮設配管工事条件３を入力し、記憶手段に記憶させる。【００２０】  記憶手段には、予め、仮設予定場所の地形データ７、仮設標準詳細配管図を自動的に作図するための情報を標準化した配管図作成情報６が蓄積されており、これを読み出し、配管設計手段８により、これらと前記仮設配管工事条件３とを演算処理し、仮設標準詳細配管図１４を作成する。【００２１】  例えば、仮設予定線が描かれたのち、４ｍ直管、２ｍ直管、エルボ、分岐管を組み合わせて、経済的で最適な配管部材が算出される。【００２２】  このように、仮設配管の正確な総延長（距離）、微細で正確な仮給水戸数、適切な長さ、口径、形状の、エルボ、分岐管、既設管と連絡する継ぎ手管等の仮設配管部材の品目、数量を集計することができる。【００２３】  本部は、インターネットを利用したＶＰＮ２を経由して、ＦＣ加盟店に対して仮設標準詳細配管図１４を送信し、ＦＣ加盟店においてプリンタ等の出力手段から出力する。【００２４】  入力手段により仮設配管部材の使用期間を入力し、これと標準詳細配管図作成により集計された仮設配管部材の品目、数量及び記憶手段から読み出した見積情報を演算処理し仮設配管工事の見積書１５を自動見積手段１０により作成する。【００２５】  なお、本実施例では、ａ：入力手段による仮設配管部材の使用期間の入力、ｂ：標準詳細配管図作成により集計された仮設配管部材の品目、数量及び記憶手段から読み出しについて、ａ、ｂの順で行っているが、本考案を実施する場合、これらの順で行うだけでなく、ａ及びｂを並行的に行ってもよいし、ａ及びｂの順番を適宜入れ替えて行ってもよい。【００２６】  本部は、インターネットを利用したＶＰＮ２を経由して、ＦＣ加盟店に対して仮設配管工事の見積書１５���送信し、ＦＣ加盟店においてプリンタ等の出力手段から出力する。【００２７】  さらに、記憶手段に蓄積されている仮設配管部材の在庫データ１１を読み出し、これと、仮設配管工事の見積書１５に含まれる仮設配管部材のデータである仮設配管部材の品目、数量とから、所定数量に不足する仮設配管部材の有無を判断し、仮設配管部材が所定数量に不足する場合には、不足する仮設配管部材の製造又は発注を指示する。【００２８】  フランチャイズ契約においては、例えば、ＦＣ加盟店による指定地域における営業活動の開始と以後の営業活動に支障のないようＦＣ加盟店が保有又は本部が供給する最低の仮設配管部材等の数量（以下「最低基準数」という）をもって、前記所定数量とすることが考えられる。【００２９】  なお、最低基準数算出のために考慮すべき要素としては、例えば、気温と雨量の年間分布、面積と地形、人口と人口密度及び今後の人口動向、水需要の今後の動向、地方自治体の合併の動向等の地域情報、上下水道に関する地方自治体の前年度維持・管理・整備計画と決算、当年度維持・管理・整備計画と予算、当年度の下水道の緊急浸水対策事業の計画と予算、上下水道の配・給水管の種類と布設年数及び総延長距離、給水人口と戸数、年間給水量と一日平均の給水量、上下水道の普及率、工事の繁盛期の分布等が考えられる。【００３０】  出荷指示手段１３により、出荷される仮設配管部材の品目、数量から、出荷に必要なトラック等の運搬手段の大きさや台数を算出し、仮設配管部材の出荷を指示する。【００３１】  なお、ＦＣ加盟店に対する仮設配管部材の出荷指示、仮設配管部材の製造指示は、インターネットを利用したＶＰＮ２を経由して行う。【００３２】  また、本実施例では、仮設配管工事条件を記憶し、製品情報、配管図作成情報及び地形データを蓄積している記憶手段、見積情報を蓄積している記憶手段、仮設配管部材の在庫データを蓄積している記憶手段の全部について、同じ記憶手段で兼ねている。【００３３】  さらに、本実施例では、Ａ：仮設標準詳細配管図１４の出力、Ｂ：仮設配管工事の見積書１５の出力、Ｃ：在庫データを読み出し、所定数量に不足する仮設配管部材の有無の判断及び不足する場合の不足する仮設配管部材の製造又は発注指示、Ｄ：出荷に必要なトラック等の運搬手段の大きさや台数の算出、仮設配管部材の出荷指示について、Ａ、Ｂ、Ｃ、Ｄの順で行っているが、本考案を実施する場合、これらの順で行うだけでなく、ＡないしＤを並行的に行ってもよいし、ＡないしＤの順番を適宜入れ替えて行ってもよい。【００３４】  なお、上記実施例では、仮設配管工事条件を記憶し、製品情報、配管図作成情報及び地形データを蓄積している記憶手段、見積情報を蓄積している記憶手段、仮設配管部材の在庫データを蓄積している記憶手段の全部又は一部について、同じ記憶手段で兼ねてもよい。【００３５】  本考案にかかる装置は、上水道管の仮設配管工事を典型的な適用例としているが、それに限られず、下水管、ガス管その他の配管工事や、汚泥水の除去等に利用される仮設配管一般に応用することができる。
【考案の効果】
【００３６】  本考案によれば、水道管等の地下に埋設されたパイプ本管等の布設、移設、補修工事等に際し、多大な時間、手間と設計者の熟練、経験を要することなく、正確な仮設配管詳細図及び見積書を作成することができる。
【００３７】  また、請求項１、２又は３に係る考案によれば、不要部材が発生せず、請求項３に係る考案によれば、緊急に不足部材を供給するような事態を招くことがない。
【００３８】  さらには、本考案により作成された仮設配管詳細図を、逆に、地形データに反映させることにより、本管の布設に関する管理図面の作成が可能となり、将来、水道局や下水道局への正確なデータ提供が可能となるとともに、従来、水道局や下水道局と仮設配管工事を行う業者との間に介在した建設コンサルタント等を排し、水道局や下水道局との直接的な関係を構築することができる。
【００３９】  加えて、本考案を実施することによって、多大な時間、手間と設計者の熟練、経験を要することなく、正確な仮設配管詳細図及び見積書を作成することができ、さらに、請求項３に係る考案を実施することによって、精度の高い仮設配管部材の在庫管理が可能となるため、仮設配管詳細図の作成に熟練していない多数のフランチャイジーにも仮設配管詳細図の作成を修得させることができ、さらには、時宜に応じた仮設配管部材の供給を行うことができるようになるので、効率的なフランチャイズシステムを構築することができる。
【００４０】  また、本考案を実施することによって、上下水道の配・給水管の種類と布設年数及び総延長距離、上下水道の普及率等に関する情報を蓄積することができるので、最低基準数算出の役に立ち、引いてはフランチャイズ契約締結を促進することになる。
【図面の簡単な説明】
【図１】は、請求項３の考案が適用される最適管割情報処理装置を説明する説明図である。
【図２】は、請求３の考案が適用される最適管割情報処理装置の動作をフローチャートである。
【図３】は、本装置の構成図である。
【符号の説明】
１  取引先を特定する情報を含む取引情報２  ＶＰＮ３  仮設配管工事条件４  仮設用平面図５  製品情報６  配管図作成情報７  地形データ８  配管設計手段９  見積情報１０  自動見積手段１１  在庫データ１２  製造指示１３  出荷指示手段１４  仮設標準配管図１５  見積書１６  出荷指図書１７  仮設配管部材の使用期間
【図１】
0003135632.tif 000003
【図２】
0003135632.tif 000004
【図３】
0003135632.tif 000005